(57)【要約】【課題】周波数帯域が異なる２種類の伝送信号に含まれる放送信号の信号レベルを測定可能な信号レベル測定装置において、２種類の放送信号毎にチューナ部を設けることなく、放送信号の存在を確認できるようにする。【解決手段】２種類の伝送信号のうち、一方の伝送信号の中から放送信号を選局して復調し、その信号レベルを検出し放送信号の有無を判定するチューナ部２０と、他方の伝送信号の中から放送信号を抽出して信号レベルを検出するレベル検出部２２と、チューナ部若しくはレベル検出部を介して２種類の伝送信号の何れかに含まれる測定対象チャンネルの放送信号の信号レベル等を測定する制御部３０を備える。制御部は、レベル検出部を介して他方の伝送信号中の信号レベルを測定する際には、チューナ部に一方の伝送信号中の特定放送チャンネルの放送信号を選局・復調させて放送信号が存在するか否かを判定する。【選択図】図１
2017005632.tif 000002
【特許請求の範囲】
【請求項１】
周波数帯域が異なる２種類の伝送信号に含まれる放送信号の信号レベルを測定するのに利用可能な信号レベル測定装置であって、
前記２種類の伝送信号のうち、一方の伝送信号の中から所定放送チャンネルの放送信号を選局して復調し、該復調結果から、信号レベルを含む当該放送信号の受信状態を検出するチューナ部と、
前記２種類の伝送信号のうち、他方の伝送信号の中から所定放送チャンネルの放送信号を抽出して、該放送信号の信号レベルを検出するレベル検出部と、
前記チューナ部若しくは前記レベル検出部を介して、前記２種類の伝送信号の何れかに含まれる測定対象チャンネルの放送信号の信号レベル、及び、該信号レベルとノイズレベルとの比であるＣ／Ｎ、の少なくとも一方を測定し、該測定結果を報知する制御部と、
を備え、
前記制御部は、前記２種類の伝送信号のうち、他方の伝送信号に含まれる測定対象チャンネルの信号レベルを測定する際には、前記チューナ部に前記一方の伝送信号に含まれる特定放送チャンネルの放送信号を選局・復調させて、前記特定放送チャンネルの放送信号が存在するか否かを判定するよう構成されていることを特徴とする信号レベル測定装置。
【請求項２】
前記制御部には、前記測定結果を表示するための表示部が接続されており、
前記制御部は、前記測定対象チャンネルの測定結果を数値若しくはグラフにて前記表示部に表示し、しかも、該測定結果を表示する際には、該測定結果が許容範囲内にあるか否かを判断して、許容範囲内にある場合には、その旨を表すマークも前記表示部に表示するよう構成されていることを特徴とする請求項１に記載の信号レベル測定装置。
【請求項３】
前記制御部は、前記表示部に対し、前記２種類の伝送信号毎に、該伝送信号に含まれている複数チャンネル分の放送信号の測定結果を、グラフにて一覧表示可能に構成されていることを特徴とする請求項２に記載の信号レベル測定装置。
【請求項４】
前記２種類の伝送信号のうち、他方の伝送信号に含まれる放送信号と同一周波数帯の疑似信号を発生する信号発生器を備え、該信号発生器が発生した前記疑似信号を前記伝送路に送出可能に構成されていることを特徴とする請求項１〜請求項３の何れか１項に記載の信号レベル測定装置。
【請求項５】
前記信号発生器は、前記他方の伝送信号の周波数帯域内で前記疑似信号の周波数を変更可能であることを特徴とする請求項４に記載の信号レベル測定装置。
【発明の詳細な説明】
【技術分野】
【０００１】
本発明は、受信アンテナにて受信された放送信号の信号レベルを測定する信号レベル測定装置に関する。
【背景技術】
【０００２】
この種の信号レベル測定装置として、衛星放送受信アンテナから出力され、同軸ケーブル等の伝送路を介して伝送される伝送信号を取り込み、チューナ部にて、その取り込んだ伝送信号の中から測定対象となる放送チャンネルの放送信号を選局して復調するよう構成されたものが知られている（例えば、特許文献１参照）。
【０００３】
この信号レベル測定装置において、チューナ部は、選局した放送信号から各種信号を復調して、その信号レベルを測定するだけでなく、復調した信号からデジタルデータを復号化し、そのデジタルデータからＴＳパケットの同期バイトを検出する。
【０００４】
そして、信号レベル測定装置の制御部は、チューナ部にて同期バイトが検出されている間、チューナ部で選局した放送信号は、衛星から送信された真の放送信号であると判断して、衛星から放送信号を受信している旨を表すマークを表示部に表示する。
【０００５】
従って、この信号レベル測定装置によれば、衛星放送受信アンテナにて受信された放送信号の信号レベルを測定することができるだけでなく、レベル測定した放送信号が、衛星から送信された真の放送信号であるか否かを識別できるので、周囲のノイズを放送信号として誤検出してしまうのを防止できる。
【先行技術文献】
【特許文献】
【０００６】
【特許文献１】特開２００４−７０７４号公報
【発明の概要】
【発明が解決しようとする課題】
【０００７】
ところで、上記信号レベル測定装置では、選局した放送信号が真の放送信号であるか否かを識別するために、放送信号を選局して、復調するためのチューナ部が必要である。
このため、例えば、従来の信号レベル測定装置を用いて、将来本放送が開始される４Ｋ／８Ｋのスーパーハイビジョン放送の信号レベルを測定できるようにするには、その放送用のチューナ部を搭載しなければならず、コストアップを招くという問題がある。
【０００８】
また、衛星からの放送信号の送信には、放送用に割り当てられた電波の周波数帯域を有効利用するため、例えば、右旋円偏波と左旋円偏波、垂直偏波と水平偏波、というように、同一周波数帯域内で偏波面が異なる２種類の放送電波が利用される。
【０００９】
この場合、２種類の放送電波の受信信号は、周波数が重複しないように、異なる周波数帯の伝送信号に周波数変換されて伝送される。そして、各伝送信号に含まれる放送信号が同一の変調方式で変調されていれば、各放送信号共通のチューナ部を用いて測定対象チャンネルの放送信号を選局・復調するようにすればよい。
【００１０】
しかし、例えば、右旋円偏波にて通常のハイビジョン放送が行われ、左旋円偏波にて４Ｋ／８Ｋのスーパーハイビジョン放送が行われるような場合には、送信電波の偏波面で分類される異なる変調方式の放送信号毎に、選局・復調用のチューナ部を設ける必要がある。
【００１１】
従って、上記従来の信号レベル測定装置では、４Ｋ／８Ｋの放送信号の信号レベルを測定する場合に限らず、同一衛星から送信された変調方式が異なる放送信号の信号レベルを測定する場合にも、コストアップを招くという問題が生じる。
【００１２】
また、こうした問題は、同一衛星から送信された放送信号を受信する場合に限らず、異なる衛星若しくは地上局から送信され、偏波面若しくは変調方式が異なる放送信号を受信するシステムであっても、同様に発生する。
【００１３】
本発明は、こうした問題に鑑みなされたものであり、周波数帯域が異なる２種類の伝送信号に含まれる放送信号の信号レベルを測定可能な信号レベル測定装置において、２種類の放送信号毎にチューナ部を設けることなく、放送信号を受信できているか否かを識別できるようにすることを目的とする。
【課題を解決するための手段】
【００１４】
本発明の信号レベル測定装置は、周波数帯域が異なる２種類の伝送信号に含まれる放送信号の信号レベルを測定可能な信号レベル測定装置である。
そして、信号レベル測定装置には、チューナ部と、レベル検出部と、制御部とが備えられている。
【００１５】
ここで、チューナ部は、２種類の伝送信号のうち、一方の伝送信号の中から所定放送チャンネルの放送信号を選局して復調し、その復調結果から、信号レベルを含む当該放送信号の受信状態を検出する。
【００１６】
また、レベル検出部は、２種類の伝送信号のうち、他方の伝送信号の中から所定放送チャンネルの放送信号を抽出して、その放送信号の信号レベルを検出する。
そして、制御部は、チューナ部若しくはレベル検出部を介して、２種類の伝送信号の何れかに含まれる測定対象チャンネルの放送信号の信号レベル、若しくは、その放送信号の信号レベルとノイズレベルとの比であるＣ／Ｎ、の少なくとも一方を測定し、その測定結果を報知する。
【００１７】
また、制御部は、２種類の伝送信号のうち、他方の伝送信号に含まれる測定対象チャンネルの信号レベルを測定する際には、チューナ部に一方の伝送信号に含まれる特定放送チャンネルの放送信号を選局・復調させて、特定放送チャンネルの放送信号が存在するか否かを判定する。
【００１８】
これは、特定放送チャンネルの放送信号と測定対象チャンネルの放送信号とは、同一衛星から同一周波数帯の電波を利用して送信されてくるので、特定放送チャンネルの放送信号を受信できている場合には、測定対象チャンネルの放送信号も受信できていると推定できるからである。
【００１９】
従って、本発明の信号レベル測定装置によれば、受信部にて受信される２種類の放送電波に対応した放送信号毎に選局・復調用のチューナ部を設けることなく、受信部にて測定対象チャンネルの放送信号を受信できているか否かを判定することができる。
【００２０】
よって、本発明によれば、偏波面若しくは変調方式が異なる２種類の放送信号の信号レベルを測定することのできる信号レベル測定装置を実現するに当たって、その構成を簡単にして、コストを低減することが可能となる。
【００２１】
従って、例えば、レベル検出部は、まだ本放送が開始されていない４Ｋ／８Ｋのスーパーハイビジョン放送の放送信号の信号レベルを検出するものとし、チューナ部は、既に本放送が行われているハイビジョン放送の放送信号を選局・復調するものとすれば、４Ｋ／８Ｋの放送信号を受信できているか否かを判定するのに、まだ量産化されていない高価なチューナ部を用いる必要がないので、４Ｋ／８Ｋ対応型の信号レベル測定装置を、低コストで実現できることになる。
【００２２】
ここで、制御部は測定結果を報知するが、その報知のためには、制御部に表示部を接続して、測定結果を表示部に表示するようにしてもよい。
この場合、制御部は、測定対象チャンネルの測定結果を数値若しくはグラフにて表示部に表示し、しかも、測定結果を表示する際には、測定結果が許容範囲内にあるか否かを判断して、許容範囲内にある場合には、その旨を表すマークも表示部に表示するよう構成するとよい。
【００２３】
このようにすれば、使用者は、表示部に表示されたマークから、測定対象チャンネルの放送信号を測定できていることを簡単に確認することができるようになり、信号レベル測定装置の使い勝手を向上できる。
【００２４】
また、制御部は、表示部に対し、２種類の伝送信号毎に、その伝送信号に含まれている複数チャンネル分の放送信号の測定結果を、グラフにて一覧表示可能に構成されていてもよい。
【００２５】
このように、複数チャンネル分の測定結果をグラフにて一覧表示できるようにすれば、使用者は、その表示結果から伝送路での伝送信号の伝送特性を簡単に把握できることになる。従って、例えば、特定の周波数領域で信号レベルやＣ／Ｎが低下している場合に、伝送路の異常を把握して、その対策を速やかに行う、といったことが可能となる。
【００２６】
また、本発明の信号レベル測定装置には、２種類の伝送信号のうち、他方の伝送信号に含まれる放送信号と同一周波数帯の疑似信号を発生する信号発生器を設け、その信号発生器が発生した疑似信号を伝送路に送出可能に構成してもよい。
【００２７】
このようにすれば、例えば、伝送路の上流側で、信号レベル測定装置から伝送路へ、まだ本放送が実施されていない４Ｋ／８Ｋの放送信号の疑似信号を送出し、伝送路の下流側で、別の信号レベル測定装置を使って、その疑似信号の信号レベルやＣ／Ｎを測定することで、伝送路での４Ｋ／８Ｋの放送信号の伝送特性を確認できるようになる。
【００２８】
なお、信号発生器は、他方の伝送信号の周波数帯域内で疑似信号の周波数を変更可能であること（換言すれば、スイープ機能を有すること）が好ましい。つまり、このようにすれば、他方の伝送信号の周波数帯域全域で、伝送路での放送信号の伝送特定を確認できるようになる。
【図面の簡単な説明】
【００２９】
【図１】実施形態の信号レベル測定装置の構成を表すブロック図である。
【図２】衛星放送受信アンテナから伝送路に出力される伝送信号を表す説明図である。
【図３】制御部にて実行される信号レベル測定処理を表すフローチャートである。
【図４】表示部へレベル又はＣ／Ｎを一覧表示したときの表示画面を表す説明図である。
【図５】表示部へレベル又はＣ／Ｎを個別表示したときの表示画面を表す説明図である。
【図６】制御部にて実行される信号送信処理を表すフローチャートである。
【発明を実施するための形態】
【００３０】
以下に本発明の実施形態を図面と共に説明する。
本実施形態の信号レベル測定装置（所謂レベルチェッカ）１０は、図１に示すように、衛星放送受信アンテナ２からの受信信号を伝送信号として、同軸ケーブル若しくは光ケーブルからなる伝送路Ｌを介して端末側に伝送する受信システムにおいて、衛星放送受信アンテナ２若しくは伝送路Ｌの途中の出力端子から伝送信号を取り込み、その伝送信号に含まれる任意の放送チャンネルの信号レベルを測定するのに用いられるものである。
【００３１】
なお、受信システムにおいて、伝送路Ｌには、衛星放送受信アンテナ２からの受信信号の他にも、ＵＨＦアンテナにて受信された地上波テレビ放送の受信信号や、ＣＡＴＶシステムからの伝送信号等も伝送されることがある。このため、信号レベル測定装置１０は、一般的なレベルチェッカと同様、これら各信号の信号レベルも測定可能である。
【００３２】
但し、以下の説明では、本発明を分かり易く説明するため、衛星放送受信アンテナ２からの信号以外のレベル測定については説明を省略し、信号レベル測定装置１０によるレベル測定の対象となる信号は、衛星放送受信アンテナ２からの受信信号（伝送信号）であるものとして説明する。
【００３３】
また、以下の説明において、放送信号のチャンネルは、単に「ＣＨ」と記載する。
衛星放送受信アンテナ２は、同一衛星から送信され、周波数帯域が重なり偏波面が異なる２種類の放送電波として、ＢＳ放送で既にハイビジョン放送が実施されている右旋円偏波（ＢＳ−Ｒ）と４Ｋ／８Ｋのスーパーハイビジョン放送の実施が予定されている左旋円偏波（ＢＳ−Ｌ）、及び、ＣＳ放送で既にハイビジョン放送が実施されている右旋円偏波（ＣＳ−Ｒ）と４Ｋ／８Ｋのスーパーハイビジョン放送の実施が予定されている左旋円偏波（ＣＳ−Ｌ）、をそれぞれ受信可能である。
【００３４】
衛星放送受信アンテナ２にて受信されるこれらの放送電波（受信信号）は、図２に示すように、周波数帯域が概ね１１．７ＧＨｚ〜１２．７ＧＨｚであり、各偏波面で周波数が重複している。
【００３５】
このため、衛星放送受信アンテナ２は、上記各放送電波の受信信号が周波数軸上で重複することなく、共通の伝送路Ｌを使って伝送できるように、上記各偏波面の受信信号をそれぞれ周波数変換（ダウンコンバート）するコンバータ２ｂと、このコンバータ２ｂの受信点にＢＳ・ＣＳの各衛星からの送信電波を集波するパラボラ反射鏡２ａとで構成されている。
【００３６】
なお、コンバータ２ｂは、全ての受信信号を、元の受信信号に比べて伝送路Ｌを低損失で伝送可能な、１ＧＨｚ〜３ＧＨｚ程度の周波数帯にダウンコンバートする。
また、コンバータ２ｂは、図２に示すように、上述した各衛星・偏波面に対応したＢＳ−Ｒ、ＢＳ−Ｌ、ＣＳ−Ｒ、ＣＳ−Ｌの受信信号のうち、ＢＳ−Ｒの受信信号が、１ＧＨｚ〜３ＧＨｚ帯の周波数軸上で周波数が最も低く、その上（高周波側）にＣＳ−Ｒの受信信号、ＢＳ−Ｌの受信信号が順に配置され、最も高周波側にＣＳ−Ｌの受信信号が配置されるように、これら各受信信号を周波数変換する。
【００３７】
信号レベル測定装置１０には、上記のように衛星放送受信アンテナ２のコンバータ２ｂから出力された伝送信号を、コンバータ２ｂから直接若しくは伝送路Ｌを介して取り込むための入力端子１２が備えられている。
【００３８】
そして、入力端子１２に入力された伝送信号は、方向性結合器１４及び電源分離フィルタ１６を介して、伝送信号分波部１８に入力される。
伝送信号分波部１８は、上記のように周波数軸上で重複しないように配置された伝送信号を、低周波側の２つの伝送信号（ＢＳ−Ｒ、ＣＳ−Ｒ）と、高周波側の２つの伝送信号（ＢＳ−Ｌ、ＣＳ−Ｌ）とに分波するためのものである。
【００３９】
そして、伝送信号分波部１８にて分波された一方の伝送信号（低周波側の２つの伝送信号：ＢＳ−Ｒ、ＣＳ−Ｒ）は、チューナ部２０に入力され、他方の伝送信号（高周波側の２つの伝送信号：ＢＳ−Ｌ、ＣＳ−Ｌ）は、レベル検出部２２に入力される。
【００４０】
チューナ部２０は、伝送信号分波部１８を介して入力される一方の伝送信号（ＢＳ−Ｒ、ＣＳ−Ｒ）の中から所定放送ＣＨの放送信号を選局して復調し、復調結果から、信号レベルを含む当該放送信号の受信状態を検出するためのものである。
【００４１】
例えば、チューナ部２０は、所定放送ＣＨの放送信号を選局して復調することで、その復調した信号の信号レベルを検出すると共に、その復調した信号を復号化することで得られるデータ（例えば、ＴＳパケットの同期バイト等）から、衛星からの放送信号を受信できているか否かを検出する。
【００４２】
また、レベル検出部２２は、伝送信号分波部１８を介して入力される他方の伝送信号（ＢＳ−Ｌ、ＣＳ−Ｌ）の中から所定放送ＣＨの放送信号を選局し、例えば、その放送信号を検波することで、その信号レベルを検出するためのものである。
【００４３】
次に、チューナ部２０及びレベル検出部２２は、上記各検出結果を制御部３０に入力する。
制御部３０は、ＣＰＵ、ＲＯＭ、ＲＡＭ等を中心とするマイクロコンピュータにて構成されており、操作部３２から外部操作によって入力される指令に従い、チューナ部２０若しくはレベル検出部２２に測定対象ＣＨの放送信号を選局させる。
【００４４】
そして、制御部３０は、その選局の結果、チューナ部２０若しくはレベル検出部２２で得られる信号レベル等の検出結果を取り込み、表示部３４に表示する。
なお、電源分離フィルタ１６は、入力端子１２から入力された伝送信号を伝送信号分波部１８側に通過させ、電源供給部２４にて生成された電源電圧を入力端子１２側に出力させるためのものである。
【００４５】
また、電源供給部２４は、制御部３０からの指令を受けて、衛星放送受信アンテナ２のコンバータ２ｂを駆動するための電源電圧（例えば直流１５Ｖ）を生成し、電源分離フィルタ１６に出力するためのものである。
【００４６】
この結果、衛星放送受信アンテナ２のコンバータ２ｂに他の電源装置から電源供給がなされていないときには、信号レベル測定装置１０から電源供給を行うことができるようになる。
【００４７】
一方、方向性結合器１４は、入力端子１２から入力された伝送信号を電源分離フィルタ１６側に通過させ、信号発生部２６にて生成された信号を入力端子１２側に出力させるためのものである。
【００４８】
また、信号発生部２６は、制御部３０からの指令に従い、他方の伝送信号（ＢＳ−Ｌ、ＣＳ−Ｌ）の周波数帯域内で所定周波数の信号を、伝送送信号の疑似信号として発生するためのものである。
【００４９】
この結果、本実施形態の信号レベル測定装置１０によれば、信号発生部２６が発生した疑似信号を、入力端子１２から伝送路Ｌ上に送出させることもできる。
次に、制御部３０の動作について説明する。
【００５０】
制御部３０は、操作部３２から測定対象ＣＨが指定されると、その指定された放送ＣＨの放送信号を、チューナ部２０若しくはレベル検出部２２に選局させる。
具体的には、測定対象ＣＨが、ＢＳ・ＣＳの衛星から送信された２種類の偏波面（右旋・左旋）に対応した２種類の伝送信号のうち、一方の伝送信号（ＢＳ−Ｒ、ＣＳ−Ｒ）に含まれる放送ＣＨであれば、測定対象ＣＨの放送信号をチューナ部２０に選局させる。
【００５１】
また、測定対象ＣＨが、ＢＳ・ＣＳの衛星から送信された２種類の偏波面（右旋・左旋）に対応した２種類の伝送信号のうち、他方の伝送信号（ＢＳ−Ｌ、ＣＳ−Ｌ）に含まれる放送ＣＨであれば、測定対象ＣＨの放送信号をレベル検出部２２に選局させる。
【００５２】
そして、測定対象ＣＨの放送信号をチューナ部２０に選局させた場合、チューナ部２０は、その選局した放送信号を復調し、その復調した信号の信号レベルを検出するだけでなく、その復調した信号から放送データ（ＴＳパケット等の同期バイト等）を復号する。
【００５３】
このため、制御部３０は、チューナ部２０にて、放送データ（ＴＳパケット等の同期バイト等）が正常に復調（復号）されているか否かによって、衛星からの放送電波を受信できているか否かを判定し、受信できていなければ、表示部３４に測定不能を表す情報を表示する。
【００５４】
また、衛星からの放送電波を受信できていれば、チューナ部２０にて検出された信号レベル若しくはその信号レベルから得られるＣ／Ｎ（キャリア対ノイズ比）を、測定対象ＣＨの測定結果として、後述する図５に例示するように、表示部３４に表示する。
【００５５】
なお、制御部３０は、ＢＳ・ＣＳの放送信号を測定するに当たって、操作部３２から一括測定が指令された際には、チューナ部２０若しくはレベル検出部２２による選局ＣＨを順次切り換えることで、一方の伝送信号（ＢＳ−Ｒ、ＣＳ−Ｒ）、若しくは、他方の伝送信号（ＢＳ−Ｌ、ＣＳ−Ｌ）に含まれる放送信号を順次選局させて、その信号レベルを測定し、後述する図４に例示するように、表示部３４に測定結果を全放送ＣＨ分、グラフにて一覧表示させる。
【００５６】
一方、制御部３０は、測定対象ＣＨが、他方の伝送信号（ＢＳ−Ｌ、ＣＳ−Ｌ）に含まれる放送ＣＨであり、その放送信号をレベル検出部２２に選局させて信号レベルを測定する際には、図３に示す信号レベル測定処理を実行する。
【００５７】
以下、この信号レベル測定処理について説明する。
図３に示すように、左旋円偏波のＢＳ放送若しくはＣＳ放送の伝送信号（ＢＳーＬ又はＣＳ−Ｌ）に含まれている放送信号の信号レベルを測定する際には、Ｓ１１０（Ｓはステップを表す）にて、その放送信号に対応した右旋円偏波の伝送信号（ＢＳ−Ｒ又はＣＳ−Ｒ）に含まれている特定ＣＨの放送信号を、チューナ部２０に選局・復調させる。
【００５８】
なお、特定ＣＨには、変調方式の変更の可能性が低い、あるいは、停波することが少ない放送ＣＨが予め設定されており、例えば、ＢＳ放送ではＣＨ１５が設定され、ＣＳ放送ではＣＨ４が設定される。
【００５９】
このように、チューナ部２０に対し、右旋円偏波の伝送信号（ＢＳ−Ｒ又はＣＳ−Ｒ）の中から特定ＣＨの放送信号を選局させると、チューナ部２０は、その特定ＣＨの放送信号を選局・復調して放送データを復号する。
【００６０】
このため、続くＳ１２０では、その復号された放送データから、特定ＣＨの放送信号を正常に復調できているか否か、換言すれば、衛星からの放送信号を正常に受信できているか否か、を判断する。
【００６１】
チューナ部２０にて特定ＣＨの放送信号を復調できていなければ、衛星放送受信アンテナ２は、その放送信号を送信してくる衛星からの放送電波を受信できないと判断して、Ｓ１３０に移行する。そして、Ｓ１３０では、測定対象ＣＨの放送信号のレベル測定は不可能である旨を、表示部３４に表示し、当該信号レベル測定処理を終了する。
【００６２】
一方、チューナ部２０にて特定ＣＨの放送信号を復調できていれば、衛星放送受信アンテナ２は、その放送信号を送信してくる衛星からの放送電波を受信できていると判断して、Ｓ１４０に移行する。
【００６３】
そして、Ｓ１４０では、操作部３２から、左旋円偏波の伝送信号（ＢＳーＬ又はＣＳ−Ｌ）の一括測定が指令されているか否かを判断する。
操作部３２から一括測定が指令されている場合には、Ｓ１５０に移行して、その測定対象となる伝送信号（ＢＳーＬ又はＣＳ−Ｌ）に含まれる全放送信号の中から、まだレベル測定していない放送信号を測定対象ＣＨとして選択し、レベル検出部２２に選局させ、その選局された放送信号の信号レベルとＣ／Ｎを測定する。
【００６４】
続くＳ１６０では、Ｓ１５０での測定結果を、メモリ（ＲＡＭ若しくは不揮発性メモリ）に記憶し、続くＳ１７０にて、一括測定の対象となる全放送ＣＨのレベル測定は終了したか否かを判断する。
【００６５】
そして、全放送ＣＨのレベル測定が終了していなければ、再度Ｓ１５０に移行して、まだレベル測定していない放送信号のレベル測定を実施し、逆に、全放送ＣＨのレベル測定が終了していれば、Ｓ１８０に移行して、図４に示すように、Ｓ１６０にて記憶した全放送ＣＨの測定結果を、棒グラフにして、表示部３４に一覧表示し、当該信号レベル測定処理を終了する。
【００６６】
なお、図４は、伝送信号ＣＳ−ＬのＣ／Ｎ及び信号レベルの測定結果の一覧の表示例を表しており、Ｓ１８０では、操作部３２を介して予め設定されている表示内容に従い、測定した信号レベル及びＣ／Ｎの一方を一覧表示する。
【００６７】
また、Ｓ１６０にて記憶した測定結果は、少なくとも、信号レベル測定装置１０の電源がオフされるまではメモリに保存され、必要に応じて操作部３２から表示指令を入力することで、測定結果を表示部３４に一覧表示することができる。
【００６８】
また、Ｓ１６０にて記憶した測定結果は、操作部３２から個別表示指令を入力することで、図５に示すように、測定対象ＣＨの１ＣＨ分の測定結果を、数値及び棒グラフにて、表示部３４に個別表示させることもできる。
【００６９】
そして、この個別表示では、「レベル」、「Ｃ／Ｎ」という測定結果の種別に加えて、衛星名（ＣＳ又はＢＳ）、電波の種別（右旋円偏波「Ｒ」又は左旋円偏波「Ｌ」）、測定結果は許容範囲内であること（換言すれば正常受信可能であること）を表すマークも表示される。
【００７０】
次に、Ｓ１４０にて、操作部３２から一括測定は指令されていないと判断された場合には、Ｓ１９０に移行して、操作部３２から指令されている測定対象ＣＨをレベル検出部２２に選局させ、その選局された放送信号の信号レベルとＣ／Ｎを測定する。
【００７１】
そして、続くＳ２００では、Ｓ１９０での測定結果を、メモリ（ＲＡＭ若しくは不揮発性メモリ）に記憶し、続くＳ２７０にて、その記憶した測定結果を表示部３４に個別表示する。なお、この個別表示は、図５に例示したように実施される。
【００７２】
また次に、制御部３０は、操作部３２から、疑似信号の送信指令が入力されると、図６に示す信号送信処理を実行する。
この処理は、チューナ部２０及びレベル検出部２２の動作を停止させて、信号発生部２６を動作させることで、信号レベル測定装置１０を、左旋円偏波（ＢＳ−Ｌ、ＣＳ−Ｌ）で送信されてくる４Ｋ／８Ｋ等の放送電波の中間周波信号（つまり、衛星放送受信アンテナ２から出力される伝送信号）の発生装置として機能させるための処理である。
【００７３】
そして、本実施形態では、２台の信号レベル測定装置１０を利用し、そのうちの一台を伝送路Ｌの上流側に接続し、残りの一台を伝送路Ｌの下流側に接続することで、疑似信号を利用した伝送路Ｌの伝送特性をチェックできるようにする。
【００７４】
このため、本実施形態の信号レベル測定装置１０は、伝送路Ｌの下流側に接続される信号レベル測定装置１０が信号レベルの一括測定を行うか個別測定を行うかに応じて、測定対象となる伝送信号の全ＣＨ分の疑似信号を送信するか、一つの測定対象ＣＨ分の疑似信号を送信するかを、操作部３２を介して指定できるようになっている。
【００７５】
図６に示すように、信号送信処理が開始されると、Ｓ３１０にて、疑似信号を測定対象となる伝送信号（ＢＳ−Ｌ又はＣＳ−Ｌ）の全ＣＨ分送信するか否かを判断する。
そして、全ＣＨ分送信する場合には、Ｓ３２０に移行して、信号発生部２６の発振周波数を、測定対象となる伝送信号（ＢＳ−Ｌ又はＣＳ−Ｌ）の全ＣＨの帯域内で最低周波数から最大周波数へと掃引（スイープ）させる。
【００７６】
この結果、信号レベル測定装置１０から伝送路Ｌ（延いては端末側の信号レベル測定装置１０）には、測定対象となる伝送信号（ＢＳ−Ｌ又はＣＳ−Ｌ）の全ＣＨ分の疑似信号が送信されることになる。
【００７７】
従って、端末側の信号レベル測定装置１０にて、その測定対象となる伝送信号（ＢＳ−Ｌ又はＣＳ−Ｌ）の信号レベルやＣ／Ｎを全ＣＨ分測定することで、使用者は、図４に示した表示部３４への表示結果等から、伝送信号（ＢＳ−Ｌ又はＣＳ−Ｌ）の伝送路Ｌでの伝送状態を確認することが可能となる。
【００７８】
一方、Ｓ３１０にて、疑似信号を測定対象となる伝送信号（ＢＳ−Ｌ又はＣＳ−Ｌ）の全ＣＨ分送信しないと判断されると、Ｓ３３０に移行する。そして、Ｓ３３０では、送信対象となる伝送信号（ＢＳ−Ｌ又はＣＳ−Ｌ）１ＣＨ分の周波数帯域内で、信号発生部２６の発振周波数を変化（掃引）させることで、測定対象ＣＨの１ＣＨ分の疑似信号を送信させる。
【００７９】
従って、端末側の信号レベル測定装置１０にて、測定対象ＣＨの信号レベルやＣ／Ｎを測定することで、使用者は、図５に示した表示部３４への表示結果等から、測定対象ＣＨの伝送信号（ＢＳ−Ｌ又はＣＳ−Ｌ）の、伝送路Ｌでの伝送状態を確認することが可能となる。
【００８０】
よって、本実施形態の信号レベル測定装置１０を利用すれば、４Ｋ／８Ｋのスーパーハイビジョン放送が実施される前から、その放送信号に対応した疑似信号を使って、伝送路Ｌの伝送特性を確認することができるようになる。
【００８１】
以上説明したように、本実施形態の信号レベル測定装置１０によれば、測定対象ＣＨが、ＢＳ・ＣＳの衛星から送信された２種類の偏波面（右旋・左旋）に対応した２種類の伝送信号のうち、一方の伝送信号（ＢＳ−Ｒ、ＣＳ−Ｒ）に含まれる放送ＣＨであれば、信号レベル及びＣ／Ｎを、チューナ部２０を介して測定する。また、測定対象ＣＨが他方の伝送信号（ＢＳ−Ｌ、ＣＳ−Ｌ）に含まれる放送ＣＨであれば、その信号レベル及びＣ／Ｎをレベル検出部２２に選局させる。
【００８２】
また、チューナ部２０は、その選局した放送信号を復調して信号レベルやＣ／Ｎを検出できるだけでなく、復調した信号から放送データ（ＴＳパケット等の同期バイト等）を復号して、衛星からの放送電波を受信できているか否かを判定できることから、制御部３０は、測定時に、その判定結果を用いて測定対象ＣＨを受信できているか否かを確認する。
【００８３】
これに対し、レベル検出部２２を使ってレベル測定を行う伝送信号（ＢＳ−Ｌ、ＣＳ−Ｌ）については、チューナ部２０にて放送データを復号することができない。そこで、本実施形態では、チューナ部２０にて、測定対象ＣＨの伝送信号（ＢＳ−Ｌ又はＣＳ−Ｌ）と同じ衛星から送信されてくる伝送信号（ＢＳ−Ｒ又はＣＳ−Ｒ）を受信できているか否かを確認し、受信できていれば、測定対象ＣＨの伝送信号（ＢＳ−Ｌ又はＣＳ−Ｌ）も受信できていると判断する。
【００８４】
従って、本実施形態によれば、４Ｋ／８Ｋのスーパーハイビジョン放送の放送信号の信号レベルを測定するに当たって、その放送信号を選局・復調して、放送信号が衛星から送信されてきたものかを判断することのできる、高価なチューナ部２０を利用する必要がなく、４Ｋ／８Ｋ対応型の信号レベル測定装置を、低コストで実現することができる。
【００８５】
また、制御部３０は、表示部３４に測定結果を表示するが、その表示は、図４に示すように全放送ＣＨ分を一覧表示することもできるし、図３に示すように測定対象ＣＨ毎に個別表示することもできる。
【００８６】
そして、個別表示の際には、測定結果（レベル、Ｃ／Ｎ）だけでなく、測定結果は許容範囲内であるか否かを判断して、許容範囲内であれば（換言すれば正常受信可能であれば）、その旨を表すマークも表示する（図３参照）。
【００８７】
従って、使用者は、表示部３４に表示されたマークから、測定対象ＣＨの放送信号を測定できていることを簡単に確認することができるようになり、信号レベル測定装置の使い勝手を向上できる。
【００８８】
また、表示部３４に測定結果を一覧表示した際には、使用者は、その表示結果から伝送路Ｌでの伝送信号の伝送特性を簡単に把握できることになり、例えば、特定の周波数領域で信号レベルやＣ／Ｎが低下している場合に、伝送路の異常を把握して、その対策を速やかに行うことが可能となる。
【００８９】
以上、本発明の一実施形態について説明したが、本発明は、上記実施形態に限定されるものではなく、本発明の要旨を逸脱しない範囲内にて種々の態様をとることができる。
例えば、上記実施形態では、左旋円偏波のＢＳ放送若しくはＣＳ放送の伝送信号（ＢＳーＬ又はＣＳ−Ｌ）に含まれている放送信号の信号レベルを測定する際には、その放送信号に対応した右旋円偏波の伝送信号（ＢＳ−Ｒ又はＣＳ−Ｒ）に含まれている特定ＣＨの放送信号をチューナ部２０に選局・復調させ、その特定ＣＨの放送信号を正常に復調できている場合に、左旋円偏波の伝送信号（ＢＳーＬ又はＣＳ−Ｌ）の信号レベル及びＣ／Ｎを測定するものとした。
【００９０】
しかし、この順番は逆でも良い。つまり、左旋円偏波の伝送信号（ＢＳーＬ又はＣＳ−Ｌ）の信号レベル及びＣ／Ｎを測定した後、右旋円偏波の伝送信号（ＢＳ−Ｒ又はＣＳ−Ｒ）に含まれている特定ＣＨの放送信号をチューナ部２０に選局・復調させることで、左旋円偏波の伝送信号（ＢＳーＬ又はＣＳ−Ｌ）を受信できているか否かを判断するようにしてもよい。
【００９１】
また、左旋円偏波の伝送信号（ＢＳーＬ又はＣＳ−Ｌ）の信号レベル及びＣ／Ｎの測定と、右旋円偏波の伝送信号（ＢＳ−Ｒ又はＣＳ−Ｒ）に含まれる特定ＣＨの放送信号の選局・復調とを、各々独立して行い、その結果に基づき、左旋円偏波の伝送信号（ＢＳーＬ又はＣＳ−Ｌ）の信号レベル及びＣ／Ｎを表示するか否かを判断するようにしてもよい。
【００９２】
また、図５は伝送信号ＣＳ−Ｌに含まれているＣＨ１８のＣ／Ｎ及び信号レベルの表示例を表しており、マークは、パラボラアンテナと電波の入射状態を図柄にしたものになっているが、このマークは、測定結果を表示中の放送信号を正常に受信できるか否かを識別できればよい。
【００９３】
このため、マークは、単なる丸印等であってもよく、或いは、左旋円偏波（ＢＳ−Ｌ、ＢＳ−Ｒ）で送信されてくる４Ｋ／８Ｋの放送信号を受信可能であることを表すために、「４Ｋ／８Ｋ」の文字を含むマークにしてもよい。
【００９４】
また、上記実施形態では、既に実施されているＢＳ・ＣＳのハイビジョン放送と、将来本放送が開始される４Ｋ／８Ｋのスーパーハイビジョン放送とを、それぞれ測定可能な信号レベル測定装置を例にとり説明した。
【００９５】
しかし、本発明は、例えば、垂直偏波と水平偏波とを使って同一周波数帯で２種類の放送電波を送信してくる衛星からの放送信号を受信し、その信号レベルやＣ／Ｎを測定する装置であっても、上記実施形態と同様に適用することができる。
【００９６】
また、同一周波数帯、同一偏波面で、変調方式が異なる２種類の放送信号（衛星放送信号若しくは地上波放送信号）を受信し、その信号レベルやＣ／Ｎを測定する装置であっても、上記実施形態と同様に適用することができる。
【００９７】
また、上記実施形態では、受信部として、パラボラ反射鏡２ａの焦点位置に配置されたコンバータ２ｂを有する衛星放送受信アンテナ２が用いられるものとして説明したが、コンバータ２ｂとして、衛星放送受信アンテナ２とは別体の２種類の周波数変換部を設けることによって、受信部を構成してもよい。また、地上波放送信号の信号レベルを測定する場合には、受信部として、ＵＨＦアンテナを利用すればよい。
【符号の説明】
【００９８】
２…衛星放送受信アンテナ、２ａ…パラボラ反射鏡、２ｂ…コンバータ、１０…信号レベル測定装置、１２…入力端子、１４…方向性結合器、１６…電源分離フィルタ、１８…伝送信号分波部、２０…チューナ部、２２…レベル検出部、２４…電源供給部、２６…信号発生部、３０…制御部、３２…操作部、３４…表示部、Ｌ…伝送路。
【図１】
2017005632.tif 000003
【図２】
2017005632.tif 000004
【図３】
2017005632.tif 000005
【図４】
2017005632.tif 000006
【図５】
2017005632.tif 000007
【図６】
2017005632.tif 000008